(57)【要約】【課題】ボックスファイルに関し、仕切部と本体との取付部分に負荷が掛かり、当該取付部分が破損することを防止することができるようにしたものである。【解決手段】  少なくとも一面が開口可能な開口部を備えたボックスファイル10であって、ボックスファイル10は、開口部に対して立設する方向に略平行に設けられた一対の側面材130,140を有する本体100と、一対の側面材130,140の内側面それぞれと接続し、本体100の内部を仕切る仕切部200とを備え、仕切部200は、各側面材130,140との接続箇所を結ぶ直線を基準にして回動可能に側面材130,140に支持されている。【選択図】図１
2010173319.tif 000002
【特許請求の範囲】
【請求項１】
少なくとも一面が開口可能な開口部を備えたボックスファイルであって、
前記ボックスファイルは、
前記開口部に対して立設する方向に略平行に設けられた一対の側面材を有する本体と、
前記一対の側面材の内側面それぞれと接続し、前記本体の内部を仕切る仕切部とを備え、
前記仕切部は、
前記各側面材との接続箇所を結ぶ直線を基準にして回動可能に前記側面材に支持されているボックスファイル。
【請求項２】
少なくとも一部が開口可能な開口部と、当該開口部に立設する方向に延在する一対の側面部と、当該側面部それぞれに設けられた係合孔部と、を有する本体と、
仕切板と、当該仕切板の両端部側に設けられた各係合孔部に着脱自在に係合可能な一対の係合片とを備え、当該各係合片がそれぞれ前記各係合孔部に係合されることで前記仕切板が本体内部を仕切る仕切部と、を備え、
前記係合孔部は、前記開口部と前記側面部の接続辺の延在方向側の略端部において、前記係合片が差し込まれる方向に延在する切込部と連通している、ボックスファイル。
【請求項３】
少なくとも一部が開口可能な開口部を有する本体と、
当該本体の内面材と両端側が接続され、前記本体の内面を仕切る仕切部と、を備え、
前記仕切部における仕切として機能する部位は、当該部位に対向する本体の部位よりも撓みやすくされている、ボックスファイル。
【請求項４】
少なくとも一部が開口可能な開口部と、当該開口部に対して立設する方向に延在する互いに略平行な一対の側面部とを備えた本体と、
前記本体に対して前記各側面部における前記開口部と前記側面部の接続辺の略垂直方向以外の方向に相対移動可能に各側面部それぞれと接続された仕切部と、を備えたボックスファイル。
【請求項５】
前記仕切部の前記本体に対する相対移動方向において少なくとも一箇所以上で相対位置を安定的に維持する相対位置維持機構を備えた、請求項４に記載のボックスファイル。
【発明の詳細な説明】
【技術分野】
【０００１】
この発明は、ボックスファイルに関する。
【背景技術】
【０００２】
従来、ボックスファイルの本体内に仕切部を固定したり（例えば特許文献１及び特許文献２）、或いは本体内に丁度納まる大きさ、すなわち本体内の厚みと同一の厚みを有する仕切部を、本体内に収納していた（例えば特許文献３の段落番号「００４０」、図１及び図５参照）。
【先行技術文献】
【特許文献】
【０００３】
【特許文献１】意匠登録第1341858号公報
【特許文献２】意匠登録第1113146号公報
【特許文献３】登録実用新案第3105241号公報
【発明の概要】
【発明が解決しようとする課題】
【０００４】
しかし、上記したような従来のボックスファイルは、種々の問題点があった。
（１）例えば、本体内にカタログ等の重いものが入った状態で本体が倒れると、仕切部に負荷が掛かり、このとき、仕切部と本体との取付部分に負荷が集中し、取付部分を破損するおそれがあるといった問題点があった。
【０００５】
（２）仕切部を本体に対して着脱自在とする着脱機構を設けた場合に、仕切部の本体への着脱によって着脱機構及び当該周辺部等に負荷がかかってしまい、破損等してしまうという問題点があった。
【０００６】
（３）仕切部と本体とで区画された収納空間内に規定量以上の収納物を入れた場合に、本体側が膨らんでしまう問題点があった。これにより、書庫などのボックスファイルの収納位置に所定数のボックスファイルが納まりきらなくなってしまうという問題点があった。
【０００７】
本発明は、上記のような問題点に鑑みなされたものである。
【課題を解決するための手段】
【０００８】
本発明に係る第１のボックスファイルは、少なくとも一面が開口可能な開口部を備えている。当該開口部は常時開口していても良く、例えば蓋等により閉口可能であっても良いが、本体及び仕切部を備える。本体は、開口部に対して立設する方向に互いに略平行に設けられた一対の側面材を少なくとも備えている。仕切部は、各側面材の内側面それぞれと接続することで、本体の内部を仕切る（仕切として機能する。）。そして、仕切部は、各側面材との接続箇所を結ぶ直線を基準として回動可能に側面材に支持されている。
【０００９】
したがって、例えば紙製のボックスファイルにおいて仕切部により仕切られた収納空間にラップトップパソコンなどの重量物を収納した場合、仕切部が上記のように回動することで、収納物たるラップトップパソコン若しくはこれと当接する仕切部が本体の内面（重力方向下側の内面）に当接させることができる。これにより、重量物が本体内面（当該面は台等の上側に当接している）によっても支えられることとなり、当該重量物による負荷が仕切部と本体との接合箇所のみに集中することを防止できる。
【００１０】
また、上記のように回動可能なため、本体に仕切部を着脱可能とした場合、本体に対する仕切部の装着方向（差し込み方向）／抜き取り方向（引き抜き方向）の範囲が広くなり、係合機構（例えば下記係合孔部や係合片）への負荷を少なくできる。
【００１１】
さらに、仕切部と本体（内面）とによって仕切られた収納空間に規定量以上の収納物が収納された場合、仕切部が本体に対して相対的に回動するため、本体が外部方向へ膨らみにくい。
【００１２】
本発明に係る第２のボックスファイルは、本体が、前面材、後面材、ボックスファイル内に収納する書類等の厚み方向に対向する左右の側面材、及び底面材が薄肉のヒンジの部分により折り合わせて上面開口の箱形に形成されている。仕切部は、左右の側面材の対向間隔内に取り付けられ、本体の内部を厚み方向に仕切る。そして、仕切部の両端部は、両側面材のそれぞれの内側面にそれぞれ一点で、本体の厚み方向に回動可能に支持されるように構成されている。
【００１３】
すなわち、上記ボックスファイルは、仕切部を本体の厚み方向に回動可能に取り付けられているため、仕切部に負荷が掛かったときに、仕切部が回動することで負荷を分散し、本体との取付部分の破損を未然に防止することができるようにしたものである。言い換えると、仕切部に負荷が掛かって回動した際に、例えば本体の内面に接触するようにしておくことで、仕切部に掛かる負荷を本体でも支えることができる。当然第１のボックスファイルと同様の他の作用・効果も奏する。
【００１４】
上記ボックスファイルには、さらに、仕切部の両端部に、下方に延びる係合片をそれぞれ設け、各側面材の内側面に、係合片をそれぞれ差し込み／抜き取り可能な係合孔部をそれぞれ設け、各係合孔部に、係合孔部の孔の縁から下方に向かって切り込まれた切込部をそれぞれ設けると良い。
【００１５】
このように構成することで、本体から仕切部を取り外し可能となる。
また、本体から仕切部を取り外す際、係合孔部の下方部が仕切部の引き抜き方向に対して曲がり、本体に仕切部を取り付ける際、係合孔部の下方部が仕切部の差し込み方向に応じて曲がる。したがって、係合孔部への係合部の抜き差し時に係合孔部の端部に負荷がかかり、破損等してしまう／破損等しやすくなってしまうことを防止できる。
【００１６】
また、上記ボックスファイルの仕切部の厚みを、本体を構成する各材の厚みより薄く設定すると良い。
【００１７】
このように構成すれば、仕切部と本体とで構成される収納空間に規定量以上の収納物が収納された場合（多数の収納物が収納された場合や分厚い収納物が収納された場合など）、本体側と比較して仕切部側が撓みやすくなるため、本体が外側方向へ膨らんでしまうことを抑制できる。
【００１８】
上記ボックスファイルの仕切部の両端部を、本体の厚み方向にスライド可能に支持しても良い。
【００１９】
このように構成すれば、収納空間の大きさ（容量）を変更することができるとともに、収納部と本体とで構成される収納空間に規定量以上の収納物が収納された場合、収納部が当該収納空間を構成する本体（前面材又は後面材）とは反対側にスライド移動できる。すなわち、本願の発明は、仕切部を本体の厚み方向に回動可能に取り付けることで、仕切部に負荷が掛かったときに、仕切部が回動することで負荷を分散し、本体との取付部分の破損を未然に防止することができるようにしたものである。
すなわち、本願の発明によれば、仕切部に負荷が掛かって回動した際に、例えば本体の内面に接触するようにしておくことで、仕切部に掛かる負荷を本体でも支えることができる。
【００２０】
このボックスファイルであって、仕切部を、本体の厚み方向にスライドさせることで、本体の厚み方向における相対位置を変更することができるようにしていることが好ましい。
【００２１】
このように構成すれば、仕切部と本体とで構成される収納空間の大きさを変更できるとともに、当該大きさを一定の大きさで安定的に維持できる。
【００２２】
本発明に係る第３のボックスファイルの本体は、少なくとも一部が開口可能な開口部と、開口部に立設する方向に延在する一対の側面部と、側面部それぞれに設けられた係合孔部と、を有する。仕切部は、仕切板と、仕切板の両端部側に設けられた各係合孔部に着脱自在に係合可能な一対の係合片とを備え、各係合片がそれぞれ前記各係合孔部に係合されることで仕切板が本体内部を仕切る。係合孔部は、開口部と側面部の接続辺の延在方向側の略端部において、係合片が差し込まれる方向に延在する切込部と連通している。
【００２３】
本発明に係る第４のボックスファイルの本体は、少なくとも一部が開口可能な開口部を有する。仕切部は、本体の内面材と両端側が接続され、本体の内面を仕切る。仕切部における仕切として機能する部位は、当該部位に対向する本体の部位よりも撓みやすくされている。
【００２４】
本発明に係る第５のボックスファイルの本体は、少なくとも一部が開口可能な開口部と、開口部に対して立設する方向に延在する互いに略平行な一対の側面部とを備えている。仕切部は、本体に対して各側面部における開口部と側面部の接続辺の略垂直方向以外の方向に相対移動可能に各側面部とそれぞれ接続されている。
【００２５】
このボックスファイルは、仕切部の本体に対する相対移動方向において少なくとも一箇所以上で相対位置を安定的に維持する相対位置維持機構を備えることが好ましい。
【００２６】
上記したようなボックスファイルの一例としては、上面が開口された箱形のボックスファイルであって、ボックスファイルは、前面材、後面材、ボックスファイル内に収納する書類等の厚み方向に対向する左右の側面材、及び底面材が薄肉のヒンジの部分により折り合わせて上面開口の箱形に形成された本体と、左右の側面材の対向間隔内に取り付けられ、本体の内部を厚み方向に仕切る仕切部とを備え、仕切部の両端部は、仕切板部の各内側面とそれぞれ一点で、本体の厚み方向に回動可能に支持されているものを挙げることができる。
【発明の効果】
【００２７】
本願各発明は、以上のように構成されているので、それぞれ例えば上記したような好適な作用・効果を奏する。
【図面の簡単な説明】
【００２８】
【図１】ボックスファイルを、本体と仕切部とに分離した状態を示す斜視図である。  なお、本明細書においては、特に断りのない限り、図１紙面における上方向を「上」方向と、当該方向に対して垂直な方向を「左右」方向や「横」方向と表記する。例えば２つの側面材130と140は「左右方向に配置される」と表記し、係合孔部131,141の長手方向も「左右方向に延在する」や「横方向に延在する」等と表記する。
【図２】本体に仕切部を組み込んだ状態を示す斜視図である。
【図３】本体の右側面材の内側面を説明するための説明用の断面図である。
【図４】仕切部の右側面板の外側面を説明するための説明用の断面図である。
【図５】図４の状態の仕切部の係合片を上方に持ち上げた状態を説明するための説明用の断面図である。
【図６】本体と仕切部との係合状態を説明するための説明用の断面図である。
【図７】図６のＡ−Ａ線に沿う部分断面図である。
【図８】図６のＢ−Ｂ線に沿う部分断面図である。
【図９】仕切部が本体に対し、スライドした状態を説明するための説明用の断面図である。
【図１０】本体を展開した状態を示す展開図である。
【発明を実施するための形態】
【００２９】
本発明の実施例を、図面を用いて以下に説明する。
この実施例に係るボックスファイル10は、図１に示すように、大別すると、次のパーツを備える。
（１）本体100
（２）仕切部200
【００３０】
（本体100）
本体100は、図１０に示すように、例えば薄板状の合成樹脂素材をプレス裁断機などを用いて裁断した１枚の板状部材から形成されていて、図１及び図１０に示すように、板状部材の薄肉のヒンジH1〜H11の部分で折り合わせることにより形成される。
【００３１】
本体100は、図１及び図１０に示すように、次の各部を備える。
（１）前面材110
（２）後面材120
（３）左右の側面材130,140
（４）底面材150
【００３２】
（前面材110）
前面材110には、図１及び図２に示すように、ボックスファイル10内に収納された書類等や仕切部200を取り出しやすいように、前面材110の上端から斜めにカットされ本体100の開口より低く形成された第１の窪み111と、第１の窪み111から更に斜めにカットされ第１の窪み111より低く形成された第２の窪み112が形成されている。
【００３３】
（後面材120）
後面材120は、図１及び図１０に示すように、前面材110に対向する位置に設けられ、上端部側にボックスファイル10を持ち上げる際などに使用される取っ手穴121が設けられている。
取っ手穴121の上縁には、図１及び図１０に示すように、当該上縁に沿って細長く延び、ボックスファイル10内側へ折り曲げられた折り曲げ片122が設けられている。
折り曲げ片122は、取っ手穴121に手指を掛けてボックスファイル10を持ち上げる際などに痛くないように取っ手穴121の上縁に厚みを持たせるための手当部分として機能する。
【００３４】
（左右の側面材130,140）
左右の側面材130,140は、図１に示すように、ボックスファイル10内に収納する書類等の厚み方向に互いに対向するものである。
【００３５】
左右の側面材130,140には、図１及び図３に示すように、次の各部を備える。
（１）折り返し片130a,140a
（２）係合孔部131,141
【００３６】
（折り返し片130a,140a）
折り返し片130a,140aは、それぞれ側面材130,140の上方部分を薄肉のヒンジH10,H11で本体内側へ折り返してなるものであり、好適にはその端辺において側面材130,140と溶着等される。したがって、側面材130,140の内側面と折り返し片130a,140aの外側方向の面（非内側面）とによって空間（係合片収納空間）が形成されている。
【００３７】
（係合孔部131,141）
係合孔部131,141は、折り返し片130a,140aに設けられ、後述する仕切部200の係合片221,231を係合片収納空間にそれぞれ差し込み／抜き出し可能なものである。
【００３８】
係合孔部131,141は、図３に示すように縦方向よりも横方向が長い横長のスロット状をなしており、係合孔部131,141の横幅ｙは、図８に示すように係合片221,231の第１段目221a、221b（図５参照）における横幅Ｙより長く形成されており（ｙ＞Ｙ）、図９に示すように、係合片221,231が係合孔部131,141に組み付けられた状態において係合片221,231が本体100の厚み方向にスライド可能となっている。
これにより、本体100と仕切部200との間に規定量以上の厚みの書類が入れられた場合であっても、本体100が外側方向に膨らむことを防止することができる。
また、本体100の厚み方向における相対位置を変更可能とすることで、収納物に合わせた収納空間を形成することができる。
【００３９】
また、係合孔部131,141の縦方向の高さｔは、図６に示すように、係合片221,231の厚さＴよりも高く形成されている（ｔ＞Ｔ）。
これにより、係合片221,231の幅方向の一端側が係合孔部131,141の上辺側に、他端側が係合孔部131,141の下辺側に接触するように、孔内で、仕切部200が係合片221,231を中心に回動可能となっている。
【００４０】
各係合孔部131,141の左右両端側には、図３に示すように、係合孔部131,141の孔の縁から下方に向かって切り込まれた切込部131a,141aが設けられており、当該切込部131a,141aが広がることにより係合片221,231の抜き差しを容易にしている。
【００４１】
側面材130,140の少なくとも一方、例えば右側面材130には、図１及び図３に示すように、係合孔部131の他に、次の各部を備える。
（１）背見出し用紙入れ132
（２）背見出し用紙操作穴133
（３）指掛け穴134
【００４２】
（背見出し用紙入れ132）
背見出し用紙入れ132は、右側面材130の外側に設けられ、ボックスファイル10の表紙となる背見出し用紙を収納するためのものであり、背見出し用紙が視認可能な透明のシートにより構成されている。
【００４３】
（背見出し用紙操作穴133）
背見出し用紙操作穴133は、背見出し用紙を引き出すことを補助するためのものである。
具体的には、背見出し用紙操作穴133は、ボックスファイル10の内側から例えば人差し指などで背見出し用紙を徐々に上側に持ち上げて、背見出し用紙を背見出し用紙入れ132から取り除くためのものである。
【００４４】
（指掛け穴134）
指掛け穴134は、右側面材130の下部側に設けられ、ボックスファイル10を棚などから引き出すためのものである。
指掛け穴134は、例えば人差し指を挿入できる程の大きさに構成されている。
【００４５】
（本体100の組み立て方法の説明）
つぎに、図１０を用いて、本体100の組み立て方法を説明する。
本体100は、４つの側壁部分を構成する前面材110、後面材120、及び左右の側面材130,140と、底面材150とが、図１０に示すように、薄肉のヒンジH1〜H8の部分より折り合わされて上面開口の箱形に形成されている。
【００４６】
前面材110、後面材120、右側面材130、及び左側面材140の、互いに隣り合う面材同士を折り曲げ可能に連続させる薄肉のヒンジH1〜H4については、この実施例では、５ｍｍ前後の間隔をおいて並行に一対ずつ設けられている。これにより、本体100の四隅部分が滑らかな角部に形成されている。
【００４７】
本体100の左側面材140には、図１０に示すように、前面材110との接続片142が薄肉のヒンジH4を介して設けられている。接続片142は、本体100の折り合わせ時に、前面材110の内側へ折り込まれて超音波溶着等により一体化される。
【００４８】
また、前面材110、右側面材130、左側面材140の上辺側には、薄肉のヒンジH9〜H11の部分を介してそれぞれ内面側へ折り返される折り返し片120a,130a,140aがそれぞれ設けられている。これらの折り返し片120a,130a,140aは同じく超音波溶着されて一体化される。これらの折り返し片120a,130a,140aは、それぞれ対応する部分の補強機能を発揮すると共に、本体100の上辺部分が滑らかなＲに形成されるように配慮されている。
【００４９】
本体100の底面材150は、第１底面材151、第２底面材152、第３底面材153、第４底面材154を有する４つの底面材からなり、これらが一つの底面として組み合わされる構成とされている。すなわち、第１底面材151には係合舌片151aが設けられ、この係合舌片151aが第２底面材152に形成されたスロット状切り込み152aに差し込まれて組み合わされる。また、第３底面材153には係合舌片153aが設けられ、この係合舌片153aが第４底面材154に形成されたスロット状切り込み154aに差し込まれて組み合わされる。
【００５０】
さらに、第１底面材151には突出長の小さい差込片151bが設けられ、この差込片151bが第３底面材153に形成されたスロット状切り込み153bに差し込まれて組み合わされる。また、第３底面材153には突出長の小さい差込片153cが設けられ、この差込片153cが第１底面材151に形成されたスロット状切り込み151cに差し込まれて組み合わされる。
【００５１】
（仕切部200）
仕切部200は、左右の側面材130,140の対向間隔内に取り付けられ、本体100の内部を厚み方向（側面材130,140における短辺方向）に仕切るものである。
【００５２】
仕切部200は、当該仕切部200が本体100に取り付けられた場合に、底面材150に接触しない高さに構成される。
また、好ましくは、仕切部200が、スライドする際や回動する際、仕切部200を取り付けた状態のまま本体200を折り畳む際等に、底面材150を構成する差し込み片151b等がヒンジH5等において本体内側方向へ回動するが、これらの部材により阻害されないようにする（接触しないようにする）ことができる。
【００５３】
仕切部200は、図１に示すように、次の各部を備え、断面四角形状をなすように構成されている。
（１）仕切板210,210
（２）左右の側面板220,230
【００５４】
（仕切板210）
仕切板210は、本体100の厚み方向に例えば２枚設けられる。
なお、仕切板210は、２枚に限定されず、１枚又は３枚以上であっても良い。
【００５５】
また、仕切板210は、本体100に比べ、撓みやすく形成されている。
これにより、本体100と仕切部200との間に規定量以上の厚みの書類が入れられた場合であっても、仕切部200が撓むことで、本体100が外側方向に膨らむことを防止・抑制することができる。
具体的には、本実施例における仕切り板210は、本体100を構成する素材と同じ素材で、本体100を構成する各材の厚みより薄く形成されている。
なお、仕切り板210は、本体100と同じ素材で薄く形成されている場合に限定されず、本体100とは異なる柔らかい素材で形成する等しても良い。
【００５６】
仕切板210には、図１及び図２に示すように、仕切部200内に収納された書類等を取り出しやすいように、仕切板210の上端から斜めにカットされ、本体100の開口より低く形成された窪み211が形成されている。
これにより、図２に示すように、仕切部200が本体100に取り付けられた場合に、本体100の第２の窪み112と相まって、前面材110と仕切板210との間の書類等、後面材120と仕切板210との間の書類を取り出す際に、仕切板210や前面材110に邪魔されずに、書類のみを取り出しやすくすることができる。
【００５７】
（左右の側面板220,230）
左右の側面板220,230は、図１に示すように、前面材110及び後面材120と対向するように、仕切部200の両端部に設けられ、２枚の仕切板210を連結するものである。
【００５８】
左右の側面板220,230のうち、少なくとも一方、例えば右の側面板220は、図６に示すように、本体100の指掛け穴134に指を挿入するときに、当該側面板220が指掛け穴134を塞いで、当該指掛け穴134に指を挿入することを邪魔しないようにするために、指掛け穴134より上側に下端部が来る高さに設定されている。
【００５９】
左右の側面板220,230には、図１に示すように、次の各部を備える。
（１）係合片221,231
係合片221,231は、左右の側面材220,230の係合孔部131,141に差し込まれ、仕切部200を一点で、当該係合片221,231を結ぶ直線を略中心として仕切部200を本体100の厚み方向に回動可能に支持するものである。
これにより、ボックスファイル10を倒した場合でも、仕切部200に掛かる負荷を分散し、本体100との取付部分の破損を未然に防止することができる。
【００６０】
また、本体100の上端側に設けられた係合孔部131,141に支持されているため、上端側は係合孔部131,141の端部で止まる一方、下端側が前面材又は後面材の内側と接触するまで回動することから、ボックスファイル10が倒れた場合でも、仕切部200の負荷を分散することができるとともに、仕切部200に収納された書類等がボックスファイル10から外部に投げ出されることを防止することができる。
【００６１】
本体100と仕切板210とで構成された収納空間に規定量以上の収納物が収納された場合、仕切板210が回動するため、本体100が外部方向へ膨らみにくい。
【００６２】
本体100に仕切板210を取り付ける際／取り外す際の方向の許容度が広いため、取り付け・取り外しが容易なだけでなく、係合機構（係合孔部131,141及び係合片221,231）への負荷を小さくできる。
【００６３】
係合片221,231は、左右の側面板220,230に設けられ、図５に示す状態から図４に示す状態に折り曲げることで、それぞれ下方に延びるように形成されている。
具体的には、係合片221,231は、図７に示すように、左右の側面板220,230の上端部を下方に２段階に折り返した断面コ字状に形成されている。また、図７に示すように、１段階目221a,231aは係合孔部131,141の厚さとほぼ同じ幅に、２段階目221b,231bは側面材とその折り返し部との間にはまり込むように形成されている。
【００６４】
また、係合片221,231は、図４に示すように、先端部分を半円形状に形成している。
これにより、係合片221,231を係合孔部131,141に差し込みし易くしている。
【００６５】
さらに、図８に示すように、係合片221,231の横幅Ｙは、係合孔部131,141の横幅ｙに比べ、小さく形成されている（ｙ＞Ｙ）。
これにより、仕切部200を本体100に取り付けた状態で、図９に示すように、仕切部200を本体100の厚み方向にスライドさせることができる。
【００６６】
また、係合片221,231は、図４及び図５に示すように、第１段階目221a,231aより第２段階目221b,231bの横幅が広くなるように形成されている。
これにより、仕切部200が本体100の厚み方向にスライドした場合等に、係合孔部131,141の両端に第２段階目221b,231bが引っかかり、係合片221,231が係合孔部131,141から抜け難くすることができる。
【００６７】
左右の側面板220,230のうちの少なくとも一方、例えば右側面材220には、図１に示すように、次の各部を備える。
（１）操作穴222
操作穴222は、背見出し用紙を引き出すことを補助するためにものであり、本体100に取り付けられた際、背見出し用紙操作穴133と連結する。
具体的には、仕切部200を本体100に取り付けた状態で背見出し用紙を引き出す際に、仕切部200の内側から例えば人差し指などを操作穴222及び背見出し用紙操作穴133に差し込み、背見出し用紙を徐々に上側に持ち上げて、背見出し用紙を背見出し用紙入れ132から取り除くためのものである。
これにより、仕切部200を本体100に取り付けた状態であっても、背見出し用紙を引き出し易くすることができる。
【００６８】
（係合片221,231と係合孔部131,141との取付方法）
つぎに、図７を用いて、係合片221,231と係合孔部131,141との取付方法を説明する。
まず、係合片221,231を下向きに２段階で折り曲げた後に、係合孔部131,141から半円形状に形成された係合片221,231の先を差し込む。
係合片221,231は、撓みながら左右の側面材220,230と折り返し片130a,140aとの間をすすむ。
この際に、切込部131a,141aが広がり、係合片221,231の挿入を補助している。
その後、係合片221,231の１段階目221a,231aと２段階目221b,231bとの折り目まで係合片221,231が差し込まれたところで、撓んだ状態から図７に示すように元に戻り、安定的に本体100に取り付けられる。
【符号の説明】
【００６９】
10  ボックスファイル
100  本体                    110  前面材
111,112  窪み                120  後面材
120a  折り返し片             121  取っ手穴
122  折り曲げ片              130  右側面材
130a  折り返し片             131  係合孔部
131a  切込部                 132  背見出し用紙入れ
133  背見出し用紙操作穴      134  指掛け穴
140  左側面材                140a  折り返し片
141 係合孔部                 141a  切込部
142  接続片                  150  底面材
151  第１底面材              151a  係合舌片
151b  差込片                 151c  スロット状切り込み
152  第２底面材              152a  スロット状切り込み
153  第３底面材              153a  係合舌片
153b  スロット状切り込み     153c  差込片
154  第４底面材              154a  スロット状切り込み
H1〜H11  ヒンジ
200  仕切部                  210  仕切板
211  窪み                    220  右側面板
221  係合片                  221a  １段階目
221b  ２段階目               222  操作穴
230  左側面板                231  係合片
231a  １段階目               231b  ２段階目
【図１】
2010173319.tif 000003
【図２】
2010173319.tif 000004
【図３】
2010173319.tif 000005
【図４】
2010173319.tif 000006
【図５】
2010173319.tif 000007
【図６】
2010173319.tif 000008
【図７】
2010173319.tif 000009
【図８】
2010173319.tif 000010
【図９】
2010173319.tif 000011
【図１０】
2010173319.tif 000012